(57)【要約】【課題】記録媒体を有効に利用することができる画像形成装置を得る。【解決手段】本発明の画像形成装置は、記録媒体を保持する媒体保持部と、移動可能に構成され、所定の位置にロックされることにより、媒体保持部から供給された記録媒体の媒体経路を所定の経路に設定し、記録媒体の張力によりロックが外れるガイド部材と、ガイド部材の下流に配置され、記録媒体を搬送する第１の搬送部材と、第１の搬送部材により搬送された記録媒体に画像を形成する画像形成部とを備える。【選択図】図１
2019051698.tif 000002
【特許請求の範囲】
【請求項１】
記録媒体を保持する媒体保持部と、
移動可能に構成され、所定の位置にロックされることにより、前記媒体保持部から供給された前記記録媒体の媒体経路を所定の経路に設定し、前記記録媒体の張力によりロックが外れるガイド部材と、
前記ガイド部材の下流に配置され、前記記録媒体を搬送する第１の搬送部材と、
前記第１の搬送部材により搬送された前記記録媒体に画像を形成する画像形成部と
を備えた画像形成装置。
【請求項２】
前記ガイド部材におけるロック状態を検出する第１のセンサと、
前記第１の搬送部材の下流であり、前記画像形成部の上流に配置され、前記第１のセンサにおける検出結果に基づいて前記記録媒体を切断する切断部と
をさらに備えた
請求項１に記載の画像形成装置。
【請求項３】
前記切断部は、ロックが外れたことを前記第１のセンサが検出した後に搬送され得る、前記記録媒体の所定の長さの媒体部分において、前記記録媒体を切断する
請求項２に記載の画像形成装置。
【請求項４】
前記切断部の上流に配置され、前記記録媒体の有無を検出する第２のセンサをさらに備え、
前記切断部は、前記第１のセンサにおける検出結果に加え、前記第２のセンサにおける検出結果にも基づいて、前記記録媒体を切断する
請求項２または請求項３に記載の画像形成装置。
【請求項５】
前記切断部は、前記記録媒体の種類に応じて、前記記録媒体を切断する
請求項２から請求項４のいずれか一項に記載の画像形成装置。
【請求項６】
前記切断部の上流に配置された第３のセンサをさらに備え、
前記記録媒体は、並設された複数のラベルを有し、
前記第３のセンサは、前記複数のラベルの位置を検出し、
前記切断部は、ロックが外れたことを前記第１のセンサが検出した後に搬送され得る、前記記録媒体の所定の長さの媒体部分において、前記第３のセンサが、前記複数のラベルのうちの互いに隣り合う２つのラベルの隙間を検出した場合に、その隙間に対応する位置で前記記録媒体を切断する
請求項２から請求項５のいずれか一項に記載の画像形成装置。
【請求項７】
前記切断部は、最後に前記記録媒体を切断してから前記記録媒体が所定の距離より長い距離だけ搬送された場合に、前記記録媒体を切断する
請求項２から請求項５のいずれか一項に記載の画像形成装置。
【請求項８】
前記画像形成部は、前記記録媒体を搬送する第２の搬送部材を有し、
前記第２の搬送部材は、前記切断部が前記記録媒体を切断した後に、前記記録媒体を搬送し続ける
請求項２から請求項７のいずれか一項に記載の画像形成装置。
【請求項９】
前記切断部の下流であり、前記画像形成部の上流に配置され、前記記録媒体を搬送する第３の搬送部材と、
前記第３の搬送部材を駆動する駆動モータと、
前記駆動モータから前記第３の搬送部材へ供給される動力を選択的に伝達または遮断可能な伝達部と
をさらに備えた
請求項２から請求項８のいずれか一項に記載の画像形成装置。
【請求項１０】
前記切断部の下流であり、前記画像形成部の上流に配置され、前記記録媒体を搬送する第３の搬送部材をさらに備え、
前記第３の搬送部材は、ワンウェイローラを用いて構成された
請求項２から請求項８のいずれか一項に記載の画像形成装置。
【請求項１１】
前記第１の搬送部材は、前記切断部が前記記録媒体を切断した後に、前記記録媒体の搬送を停止する
請求項２から請求項１０のいずれか一項に記載の画像形成装置。
【請求項１２】
前記第１の搬送部材は、ロックが外れたことを前記第１のセンサが検出した後に搬送され得る、前記記録媒体の所定の長さの媒体部分を搬送し終える前に、前記記録媒体の搬送を停止する
請求項２から請求項１１のいずれか一項に記載の画像形成装置。
【発明の詳細な説明】
【技術分野】
【０００１】
本発明は、画像を形成する画像形成装置に関する。
【背景技術】
【０００２】
画像形成装置には、ロール紙などの長尺の記録媒体に画像を形成可能なものがある。例えば、特許文献１には、ロール紙の後端を検知する画像形成装置が開示されている
【先行技術文献】
【特許文献】
【０００３】
【特許文献１】特開２００４−２１７３５６号公報
【発明の概要】
【発明が解決しようとする課題】
【０００４】
ところで、画像形成装置では、記録媒体を無駄にせず有効に利用できることが望まれている。
【０００５】
記録媒体を有効に利用することができる画像形成装置を提供することが望ましい。
【課題を解決するための手段】
【０００６】
本発明の一実施の形態における画像形成装置は、媒体保持部と、ガイド部材と、第１の搬送部材と、画像形成部とを備えている。媒体保持部は、記録媒体を保持するものである。ガイド部材は、移動可能に構成され、所定の位置にロックされることにより、媒体保持部から供給された記録媒体の媒体経路を所定の経路に設定し、記録媒体の張力によりロックが外れるものである。第１の搬送部材は、ガイド部材の下流に配置され、記録媒体を搬送するものである。画像形成部は、第１の搬送部材により搬送された記録媒体に画像を形成するものである。
【発明の効果】
【０００７】
本発明の一実施の形態における画像形成装置によれば、ガイド部材を所定の位置にロックすることにより、媒体保持部から供給された記録媒体の媒体経路を所定の経路に設定し、記録媒体の張力によりロックが外れるようにしたので、記録媒体を有効に利用することができる。
【図面の簡単な説明】
【０００８】
【図１】一実施の形態に係る画像形成装置の一構成例を表す構成図である。
【図２】図１に示した記録媒体の一構成例を表す説明図である。
【図３】図１に示した記録媒体の他の構成例を表す説明図である。
【図４Ａ】図１に示した記録媒体の他の構成例を表す説明図である。
【図４Ｂ】図１に示した記録媒体の他の構成例を表す説明図である。
【図４Ｃ】図１に示した記録媒体の他の構成例を表す説明図である。
【図４Ｄ】図１に示した記録媒体の他の構成例を表す説明図である。
【図５】図１に示した画像形成装置の制御機構の一構成例を表すブロック図である。
【図６Ａ】図１に示した媒体供給部の一動作例を表す説明図である。
【図６Ｂ】図１に示した媒体供給部の他の動作例を表す説明図である。
【図６Ｃ】図１に示した媒体供給部の他の動作例を表す説明図である。
【図７】第１の実施の形態に係る画像形成装置の一動作例を表すフローチャートである。
【図８】第１の実施の形態の変形例に係る画像形成装置の一動作例を表すフローチャートである。
【図９】第２の実施の形態に係る画像形成装置の一動作例を表すフローチャートである。
【図１０】第３の実施の形態に係る画像形成装置の一構成例を表す構成図である。
【図１１Ａ】図１０に示した画像形成装置の制御機構の一構成例を表すブロック図である。
【図１１Ｂ】図１０に示した画像形成装置の制御機構の一構成例を表す他のブロック図である。
【図１２】図１０に示した画像形成装置の一動作例を表すフローチャートである。
【図１３】図１０に示した画像形成装置の一動作例を表す説明図である。
【図１４】図１０に示した画像形成装置の一動作例を表す説明図である。
【図１５】図１０に示した画像形成装置の一動作例を表す説明図である。
【図１６】図１０に示した画像形成装置の一動作例を表す説明図である。
【図１７】第３の実施の形態の変形例に係る画像形成装置の制御機構の一構成例を表す他のブロック図である。
【図１８】第３の実施の形態の変形例に係る画像形成装置の一動作例を表すフローチャートである。
【発明を実施するための形態】
【０００９】
以下、本発明の実施の形態について、図面を参照して詳細に説明する。なお、説明は以下の順序で行う。
１．第１の実施の形態
２．第２の実施の形態
３．第３の実施の形態
【００１０】
＜１．第１の実施の形態＞
［構成例］
図１は、本発明の一実施の形態に係る画像形成装置（画像形成装置１）の一構成例を表すものである。画像形成装置１は、例えば、いわゆるロール紙からなる記録媒体に対して、電子写真方式を用いて画像を形成するプリンタである。画像形成装置１は、媒体供給部１０と、画像形成部３０とを備えている。
【００１１】
媒体供給部１０は、記録媒体９が巻かれたロールから、記録媒体９を引き出して画像形成部３０に供給するものである。媒体供給部１０は、媒体ホルダ１１と、ガイドバー１２と、ロックセンサ１３と、媒体ガイド１４と、媒体セットセンサ１５と、媒体センサ１６と、媒体供給ローラ１７と、カッタＩＮ透過センサ１８と、カッタＩＮ反射センサ１９と、切断部２１と、搬送ローラ２２とを有している。ガイドバー１２、ロックセンサ１３、
媒体セットセンサ１５、媒体センサ１６、媒体供給ローラ１７、カッタＩＮ透過センサ１８、カッタＩＮ反射センサ１９、切断部２１、および搬送ローラ２２は、搬送路８に沿ってこの順で配置されている。
【００１２】
媒体ホルダ１１は、記録媒体９が巻かれたロールを回転可能に保持するものである。記録媒体９は、例えば、いわゆるラベル紙９Ａや、いわゆる連続紙９Ｂを用いることができる。
【００１３】
図２は、ラベル紙９Ａの一例を表すものである。ラベル紙９Ａは、図２（Ａ），（Ｂ）に示したように、複数のラベル１０１と、台紙１０２とを有している。ラベル１０１は、画像形成部３０により画像が形成された後に、台紙１０２からはがして、様々なものに貼り付けることができるものである。複数のラベル１０１は、ラベル紙９Ａの長手方向において、ギャップ部１０３を挟んで並設されるとともに、台紙１０２に仮着されている。台紙１０２は、長尺の紙であり、複数のラベル１０１が仮着されたものである。台紙１０２には、図２（Ｃ）に示したように、複数のラベル１０１が仮着された面とは反対の面（裏面）に、いわゆるブラックマーク１０４が印刷されている。これらのブラックマーク１０４は、ラベル紙９Ａが搬送方向Ｆ１に搬送された場合における、ラベル１０１のそれぞれの先頭部分に対応する部分に印刷されている。
【００１４】
なお、この例では、ブラックマーク１０４が印刷された台紙１０２を用いてラベル紙９Ａを構成したが、これに限定されるものではなく、ブラックマーク１０４が印刷されていない台紙を用いてラベル紙を構成してもよい。
【００１５】
図３は、連続紙９Ｂの一例を表すものである。この連続紙９Ｂは、長尺の普通紙であり、画像形成部３０により連続して画像が形成されることができるものである。
【００１６】
この例では、記録媒体９のロールは、記録媒体９が巻き芯１１０に巻かれることにより構成される。巻かれた記録媒体９の後端は、以下に説明するように、巻き芯１１０に固定されている場合や、巻き芯１１０に固定されていない場合があり得る。
【００１７】
図４Ａ〜４Ｄは、記録媒体９の後端と巻き芯１１０との関係を表すものである。図４Ａの例では、記録媒体９の後端は、巻き芯１１０に、記録媒体９の幅方向にわたる広い領域（斜線で示した領域１１１）に塗られた糊を用いて固定されている。図４Ｂの例では、記録媒体９の後端は、巻き芯１１０に、記録媒体９の幅方向における中央付近の狭い領域（斜線で示した領域１１２）に塗られた糊を用いて、簡易に固定されている。図４Ｃの例では、記録媒体９の後端は、記録媒体９の幅方向における中央付近において、巻き芯１１０に、テープ１１３を用いて、簡易に固定されている。図４Ｄの例では、記録媒体９の後端は、巻き芯１１０に固定されていない。
【００１８】
媒体ホルダ１１は、このような様々な記録媒体９がセットされるようになっている。媒体ホルダ１１には、媒体ホルダモータ５３から伝達された動力に基づいて、この図では時計回りの力が生じるようになっている。これにより、媒体供給部１０では、記録媒体９がたるまないようになっている。
【００１９】
ガイドバー１２（図１）は、記録媒体９をガイドする部材である。ガイドバー１２は、図１における上下方向に移動可能に構成され、そのガイドバー１２の位置に応じて、記録媒体９の搬送路８の経路を変更することができるようになっている。ガイドバー１２には、アーム１２Ａが取り付けられている。アーム１２Ａは、軸１２Ｂを中心に回動可能構成されている。この構成により、ガイドバー１２は、アーム１２Ａが軸１２Ｂを中心に回動することにより、上下方向に移動することができるようになっている。具体的には、例えば、ガイドバー１２は、記録媒体９が媒体供給部１０にセットされると、図１に示したように、搬送路８を迂回させるような位置において、図示しないロック機構によりロックされる。そして、ガイドバー１２は、後述するように、記録媒体９を搬送する際の負荷の変化（記録媒体９の張力の変化）によりロックが外れた場合には、図１に示した位置から上方向に移動するようになっている。
【００２０】
ロックセンサ１３は、ガイドバー１２がロックされているかどうかを検出するものである。具体的には、ロックセンサ１３は、この例では、ガイドバー１２のアーム１２Ａを検出することにより、ガイドバー１２がロックされているかどうかを検出するようになっている。
【００２１】
媒体ガイド１４は、記録媒体９をガイドする部材であり、この例では、弧形状を有するものである。ガイドバー１２は、ガイドバー１２が図１に示した位置においてロックされた場合に、記録媒体９を、弧形状を有する媒体ガイド１４における突出面に抑えつける。これにより、媒体ガイド１４は、記録媒体９を、媒体ガイド１４における突出面に沿ってガイドするようになっている。
【００２２】
媒体セットセンサ１５は、記録媒体９が媒体ガイド１４に沿ってセットされているかどうかを検出するものである。
【００２３】
媒体センサ１６は、記録媒体９が媒体供給部１０にセットされているかどうかを検出するものである。
【００２４】
媒体供給ローラ１７は、搬送路８を挟む１対のローラにより構成される部材であり、媒体供給モータ５４から伝達された動力に基づいて、記録媒体９を搬送路８に沿って搬送するものである。
【００２５】
カッタＩＮ透過センサ１８は、記録媒体９がラベル紙９Ａ（図２）である場合に、切断部２１における切断位置を特定する、光学式センサである。カッタＩＮ透過センサ１８は、発光部１８Ａと、受光部１８Ｂとを有している。発光部１８Ａは、光を射出するものであり、受光部１８Ｂは、光を受光するものである。発光部１８Ａおよび受光部１８Ｂは、搬送路８を挟んで互いに反対側に配置されている。カッタＩＮ透過センサ１８では、発光部１８Ａから射出した光が、例えば記録媒体９を透過し、受光部１８Ｂにおいて受光される。記録媒体９がラベル紙９Ａである場合には、記録媒体９におけるラベル１０１の有無に応じて、受光部１８Ｂが受光する光の強度が異なる。これにより、カッタＩＮ透過センサ１８は、ラベル紙９Ａにおけるギャップ部１０３を検出し、その検出結果に基づいて、切断位置を特定することができる。このように、カッタＩＮ透過センサ１８は、記録媒体９における光の透過率に基づいて切断位置を特定するため、ブラックマーク１０４が印刷されていないラベル紙を用いた場合でも、切断位置を特定することができるようになっている。
【００２６】
カッタＩＮ反射センサ１９は、記録媒体９がラベル紙９Ａ（図２）である場合に、切断部２１における切断位置を特定する、光学式センサである。このカッタＩＮ反射センサ１９は、発光部および受光部を有している。発光部および受光部は、搬送路８の、記録媒体９の裏面に対応する側に配置されている。このカッタＩＮ反射センサ１９では、発光部から射出した光が、例えば記録媒体９の裏面により反射され、受光部において受光される。記録媒体９が、ブラックマーク１０４が印刷されたラベル紙９Ａである場合には、このブラックマーク１０４の有無に応じて、受光部が受光する光の強度が異なる。これにより、カッタＩＮ反射センサ１９は、ラベル紙９Ａにおけるギャップ部１０３を検出し、その検出結果に基づいて、切断位置を特定することができるようになっている。
【００２７】
カッタＩＮ透過センサ１８およびカッタＩＮ反射センサ１９は、使用する記録媒体９の種類に応じて、選択され使用されるようになっている。
【００２８】
切断部２１は、記録媒体９を切断するものである。切断部２１は、この例では、切断モータ５９から伝達された動力に基づいて、カッタの刃を回転させることにより、記録媒体９を切断するようになっている。
【００２９】
搬送ローラ２２は、搬送路８を挟む１対のローラにより構成されるものであり、搬送モータ５５から伝達された動力に基づいて、記録媒体９を搬送路８に沿って搬送し、記録媒体９を画像形成部３０に供給するものである。
【００３０】
画像形成部３０（図１）は、媒体供給部１０から供給された記録媒体９に画像を形成するものである。画像形成部３０は、現像部３１と、転写ベルト３２と、ベルトローラ３３と、ローラ３４と、２次転写バックアップローラ３５と、ローラ３６と、搬送ローラ４１と、ＷＲ透過センサ４２と、ＷＲ反射センサ４３と、２次転写部４５と、離間機構４６と、定着部４７と、排出ローラ４８とを有している。搬送ローラ４１、ＷＲ透過センサ４２、ＷＲ反射センサ４３、２次転写部４５、定着部４７、および排出ローラ４８は、搬送路８に沿ってこの順で配置されている。
【００３１】
現像部３１は、４色のトナー像を形成するものである。現像部３１は、４つの現像部３１Ｙ，３１Ｍ，３１Ｃ，３１Ｋを有している。現像部３１Ｙは黄色のトナー像を形成するものであり、現像部３１Ｍはマゼンタ色のトナー像を形成するものであり、現像部３１Ｃはシアン色のトナー像を形成するものであり、現像部３１Ｋは黒色のトナー像を形成するものである。そして、現像部３１は、４色のトナー像を、転写ベルト３２の被転写面上に転写（１次転写）するようになっている。
【００３２】
転写ベルト３２は、例えば、高抵抗の半導電性プラスチックフィルムにより構成される、無端の弾性ベルトである。転写ベルト３２は、ベルトローラ３３、ローラ３４、２次転写バックアップローラ３５、およびローラ３６によって張設（張架）されている。そして、転写ベルト３２は、ベルトローラ３３の回転に応じて、搬送方向Ｆ２に循環搬送されるようになっている。
【００３３】
ベルトローラ３３は、転写ベルト３２を循環搬送する部材である。この例では、ベルトローラ３３は、転写ベルト３２の搬送方向Ｆ２において、４つの現像部３１Ｙ，３１Ｍ，３１Ｃ，３１Ｋの上流側に配置され、ベルトモータ５７から伝達された動力により、この例では時計回りで回転する。これにより、ベルトローラ３３は、転写ベルト３２を搬送方向Ｆ２に循環搬送するようになっている。
【００３４】
ローラ３４は、転写ベルト３２の循環搬送に応じて従動回転する部材である。
【００３５】
２次転写バックアップローラ３５は、転写ベルト３２の循環搬送に応じて従動回転する部材である。２次転写バックアップローラ３５は、搬送路８および転写ベルト３２を挟んで、２次転写ローラ４４と対向配置されている。２次転写バックアップローラ３５は、２次転写ローラ４４とともに、２次転写部４５を構成している。この２次転写バックアップローラ３５には、高圧電源６９により、転写電圧ＶＴＲが印加される。これにより、２次転写部４５では、現像部３１により転写（１次転写）された転写ベルト３２の被転写面上のトナー像が、記録媒体９に転写（２次転写）されるようになっている。
【００３６】
ローラ３６は、転写ベルト３２の循環搬送に応じて従動回転する部材である。
【００３７】
搬送ローラ４１は、搬送路８を挟む１対のローラにより構成される部材であり、搬送モータ５５から伝達された動力に基づいて、媒体供給部１０から供給された記録媒体９を、搬送路８に沿って、２次転写部４５に向かって搬送するものである。
【００３８】
ＷＲ透過センサ４２は、記録媒体９がラベル紙９Ａ（図２）である場合に、２次転写部４５によるトナー像の転写位置を調節するためにラベル１０１の位置を検出する、光学式センサである。ＷＲ透過センサ４２は、発光部４２Ａと、受光部４２Ｂとを有している。発光部４２Ａおよび受光部４２Ｂは、搬送路８を挟んで互いに反対側に配置されている。ＷＲ透過センサ４２では、発光部４２Ａから射出した光が、例えば記録媒体９を透過し、受光部４２Ｂにおいて受光される。これにより、ＷＲ透過センサ４２は、ラベル紙９Ａにおけるラベル１０１の位置を検出することができる。このように、ＷＲ透過センサ４２は、記録媒体９における光の透過率に基づいてラベル１０１の位置を検出するため、ブラックマーク１０４が印刷されていないラベル紙を用いた場合でも、ラベル紙９Ａにおけるラベル１０１の位置を検出することができるようになっている。
【００３９】
ＷＲ反射センサ４３は、記録媒体９がラベル紙９Ａ（図２）である場合に、２次転写部４５によるトナー像の転写位置を調節するためにラベル１０１の位置を検出する、光学式センサである。このＷＲ反射センサ４３は、発光部および受光部を有している。発光部および受光部は、搬送路８の、記録媒体９の裏面に対応する側に配置されている。このＷＲ反射センサ４３では、発光部から射出した光が、例えば記録媒体９の裏面により反射され、受光部において受光される。これにより、ＷＲ反射センサ４３は、ラベル紙９Ａにおけるラベル１０１の位置を検出することができるようになっている。
【００４０】
ＷＲ透過センサ４２およびＷＲ反射センサ４３は、使用する記録媒体９の種類に応じて、選択され使用されるようになっている。
【００４１】
２次転写ローラ４４は、転写ベルト３２の被転写面上のトナー像を、記録媒体９に転写するための部材である。２次転写ローラ４４は、搬送路８および転写ベルト３２を挟んで、２次転写バックアップローラ３５に対向配置されている。２次転写ローラ４４は、２次転写バックアップローラ３５とともに、２次転写部４５を構成している。
【００４２】
離間機構４６は、２次転写バックアップローラ３５と２次転写ローラ４４とを、互いに離間させ、非接触状態にするものである。具体的には、離間機構４６は、例えば、切断部２１により切断された複数の記録媒体９のうちの最後の記録媒体９において、２次転写部４５により転写される画像がこの記録媒体９からはみ出すおそれがある場合に、離間モータ５８から伝達された動力に基づいて、２次転写バックアップローラ３５と２次転写ローラ４４とを、互いに離間させるようになっている。
【００４３】
定着部４７は、記録媒体９に対し熱および圧力を付与することにより、記録媒体９上に転写されたトナー像を記録媒体９に定着させる部材である。定着部４７は、ヒートローラ４７Ａと、定着ベルト４７Ｂとを有している。ヒートローラ４７Ａは、例えば、その内部にハロゲンランプ等の加熱ヒータを含んで構成されており、記録媒体９上のトナーに対して熱を付与する部材である。定着ベルト４７Ｂは、ヒートローラ４７Ａとの間に圧接部が形成されるように構成されている。これにより、定着部４７では、記録媒体９上のトナーが、加熱され、融解し、加圧される。その結果、トナー像が記録媒体９上に定着するようになっている。
【００４４】
排出ローラ４８は、搬送路８を挟む１対のローラにより構成されるものであり、排出モータ５６から伝達された動力に基づいて、記録媒体９を画像形成装置１の外に排出する部材である。
【００４５】
図５は、画像形成装置１における制御機構の一例を表すものである。画像形成装置１は、表示操作部５１と、ヒートローラモータ５２と、媒体ホルダモータ５３と、媒体供給モータ５４と、搬送モータ５５と、排出モータ５６と、ベルトモータ５７と、離間モータ５８と、切断モータ５９と、高圧電源６９と、制御部６０とを備えている。
【００４６】
表示操作部５１は、ユーザの操作を受け付けるとともに、画像形成装置１の動作状態や、ユーザへの指示などを表示するものであり、例えば、液晶ディスプレイ、タッチパネル、各種インジケータ、各種ボタンなどを用いて構成されるものである。
【００４７】
ヒートローラモータ５２は、制御部６０からの指示に基づいて、定着部４７のヒートローラ４７Ａに動力を供給するものである。媒体ホルダモータ５３は、制御部６０からの指示に基づいて、媒体ホルダ１１に動力を供給するものである。媒体供給モータ５４は、制御部６０からの指示に基づいて、媒体供給ローラ１７に動力を供給するものである。搬送モータ５５は、制御部６０からの指示に基づいて、搬送ローラ２２，４１に動力を供給するものである。排出モータ５６は、制御部６０からの指示に基づいて、排出ローラ４８に動力を供給するものである。ベルトモータ５７は、制御部６０からの指示に基づいて、ベルトローラ３３に動力を供給するものである。離間モータ５８は、制御部６０からの指示に基づいて、離間機構４６に動力を供給するものである。切断モータ５９は、制御部６０からの指示に基づいて、切断部２１に動力を供給するものである。また、図示を省略しているが、画像形成装置１は、現像部３１に動力を供給するドラムモータをも有している。
【００４８】
高圧電源６９は、制御部６０からの指示に基づいて転写電圧ＶＴＲを生成し、この転写電圧ＶＴＲを２次転写バックアップローラ３５に供給するものである。
【００４９】
制御部６０は、画像形成装置１における各ブロックの動作を制御することにより、画像形成装置１の全体動作を制御するものであり、例えば、ＣＰＵ（Central Processing Unit）およびメモリなどを用いて構成される。制御部６０は、通信部６１と、表示操作制御部６２と、現像制御部６３と、ヒータ制御部６４と、モータ制御部６５と、切断制御部６６と、高圧制御部６７とを有している。
【００５０】
通信部６１は、例えばＵＳＢ（Universal Serial Bus）やＬＡＮ（Local Area Network）を用いて通信を行うものであり、例えば、ホストコンピュータ（図示せず）から送信された印刷データＤＰを受信するものである。表示操作制御部６２は、表示操作部５１の動作を制御するものである。現像制御部６３は、現像部３１における現像動作を制御するものである。ヒータ制御部６４は、定着部４７のヒートローラ４７Ａに含まれる加熱ヒータの動作を制御することにより、ヒートローラ４７Ａの温度を制御するものである。モータ制御部６５は、ヒートローラモータ５２、媒体ホルダモータ５３、媒体供給モータ５４、搬送モータ５５、排出モータ５６、ベルトモータ５７、離間モータ５８、および図示しないドラムモータの動作を制御するものである。
【００５１】
切断制御部６６は、切断モータ５９の動作を制御するものである。具体的には、切断制御部６６は、例えば、記録媒体９がラベル紙９Ａ（図２）である場合に、カッタＩＮ透過センサ１８およびカッタＩＮ反射センサ１９の検出結果に基づいて、切断部２１が、ギャップ部１０３に設定された切断位置で記録媒体９を切断するように、切断モータ５９の動作を制御する。また、切断制御部６６は、後述するように、ロックセンサ１３および媒体センサ１６の検出結果に基づいて、切断部２１が記録媒体９を切断するように、切断モータ５９の動作を制御する機能をも有している。
【００５２】
高圧制御部６７は、高圧電源６９の動作を制御するものである。
【００５３】
ここで、媒体ホルダ１１は、本発明における「媒体保持部」の一具体例に対応する。ガイドバー１２は、本発明における「ガイド部材」の一具体例に対応する。ロックセンサ１３は、本発明における「第１のセンサ」の一具体例に対応する。媒体センサ１６は、本発明における「第２のセンサ」の一具体例に対応する。カッタＩＮ透過センサ１８およびカッタＩＮ反射センサ１９は、本発明における「第３のセンサ」の一具体例に対応する。媒体供給ローラ１７は、本発明における「第１の搬送部材」の一具体例に対応する。切断部２１は、本発明における「切断部」の一具体例に対応する。画像形成部３０は、本発明における「画像形成部」の一具体例に対応する。搬送ローラ４１は、本発明における「第２の搬送部材」の一具体例に対応する。
【００５４】
［動作および作用］
続いて、本実施の形態の画像形成装置１の動作および作用について説明する。
【００５５】
（全体動作概要）
まず、図１，５を参照して、画像形成装置１の全体動作概要を説明する。
【００５６】
（詳細動作）
通信部６１が印刷データＤＰを受信すると、制御部６０は、画像形成装置１が画像形成動作を行うように、各ブロックを制御する。媒体供給ローラ１７、搬送ローラ２２、および搬送ローラ４１は、記録媒体９を搬送路８に沿って搬送する。切断部２１は、例えば、記録媒体９がラベル紙９Ａ（図２）である場合には、カッタＩＮ透過センサ１８およびカッタＩＮ反射センサ１９の検出結果に基づいて、ギャップ部１０３に設定されたカット位置で記録媒体９を切断する。ベルトローラ３３は、転写ベルト３２を循環搬送する。現像部３１は、４色のトナー像を形成し、形成した４色のトナー像を、転写ベルト３２の被転写面上に転写（１次転写）する。２次転写部４５は、転写ベルト３２の被転写面上のトナー像を、記録媒体９に転写する。定着部４７は、記録媒体９上のトナー像を定着させる。排出ローラ４８は、記録媒体９を画像形成装置１の外に排出する。
【００５７】
（詳細動作）
画像形成装置１は、記録媒体９の後端が、例えば、図４Ａに示したように、巻き芯１１０に固定されている場合において、媒体ホルダ１１に記録媒体９の残りが無くなったときに、切断部２１が、記録媒体９を搬送する際の負荷の変化（記録媒体９の張力の変化）に基づいて、記録媒体９を切断する。以下に、この動作について詳細に説明する。
【００５８】
図６Ａは、通常動作時における媒体供給部１０の動作を表すものであり、図６Ｂは、媒体ホルダ１１に記録媒体９が無くなった時の媒体供給部１０の動作を表すものであり、図６Ｃは、切断部２１が記録媒体９を切断する時の媒体供給部１０の動作を表すものである。
【００５９】
通常動作時では、ガイドバー１２は、図６Ａに示した位置において、図示しないロック機構によりロックされる。これにより、搬送路８は、このガイドバー１２により、やや遠回りである経路長Ｌ１の経路８Ａに設定される。記録媒体９は、この経路８Ａに沿って搬送される。
【００６０】
そして、媒体ホルダ１１に残された記録媒体９は徐々に少なくなっていき、記録媒体９の残りが無くなると、記録媒体９の後端が巻き芯１１０に固定されているので、ガイドバー１２から見た、記録媒体９を搬送する際の負荷が変化する。この負荷の変化により、ガイドバー１２に、この経路８Ａに沿って媒体ホルダ１１に向かう力が生じ、ガイドバー１２のロックが外れる。その結果、ガイドバー１２は、図６Ａに示した位置から上方向に移動し、最終的に、例えば図６Ｂに示した位置に至り、記録媒体９の搬送動作が停止する。この図６Ｂでは、搬送路８は、ほぼ直線の経路８Ｂになる。この経路８Ｂの経路長Ｌ２は、経路８Ａ（図５Ａ）の経路長Ｌ１よりも短いものとなる。
【００６１】
このように、ガイドバー１２は、記録媒体９を搬送する際の負荷の変化により移動し、搬送路８の経路は、経路長Ｌ１を有する経路８Ａ（図６Ａ）から、経路長Ｌ１よりも短い経路長Ｌ２を有する経路８Ｂ（図６Ｂ）になる。つまり、画像形成装置１では、ガイドバー１２のロックが外れることにより、いわゆる余長（経路長Ｌ１−経路長Ｌ２）が生じる。
【００６２】
切断部２１は、ガイドバー１２のロックが外れたタイミングから、記録媒体９が、この余長分だけ搬送されるまでの間に、記録媒体９を切断する。つまり、切断部２１は、図６Ｂに示したような状態になる前の、図６Ｃに示した状態で、記録媒体９を切断する。このように、画像形成装置１では、余長（経路長Ｌ１−経路長Ｌ２）を設けることにより、記録媒体９を切断する時間を確保している。
【００６３】
この動作では、ガイドバー１２のロックが外れたタイミングから、記録媒体９が切断されるタイミングまでに、記録媒体９が搬送される距離Ｄ１は、Ｄ１＜Ｌ１−Ｌ２を満たす。これにより、切断部２１は、記録媒体９の搬送動作が停止する前に記録媒体９を切断することができるので、後段の画像形成部３０は、切断された記録媒体９に対して画像を形成し続けることができる。
【００６４】
このように、画像形成装置１では、媒体ホルダ１１に記録媒体９が無くなったときの負荷の変化（記録媒体９の張力の変化）に基づいて、ガイドバー１２のロックが外れることにより、搬送路８の経路長が短くなるようにした。これにより、画像形成装置１では、余長（経路長Ｌ１−経路長Ｌ２）が生じるので、この余長を利用して記録媒体９を切断することができる。このとき、ガイドバー１２のロックが外れたタイミングから、記録媒体９が切断されるタイミングまでに、記録媒体９が搬送される距離Ｄ１は、Ｄ１＜Ｌ１−Ｌ２を満たす。これにより、画像形成装置１では、記録媒体９を無駄にせず有効に利用することができる。
【００６５】
すなわち、距離Ｄ１が、Ｄ１＜Ｌ１−Ｌ２を満たさない場合には、切断部２１は、記録媒体９の搬送動作が停止する前に記録媒体９を切断することができない。よって、記録媒体９の搬送動作が停止してしまうので、後段の画像形成部３０は、画像形成動作を続けることができず、ジャムエラーが生じてしまう。この場合には、切断部２１から２次転写部４５までの搬送路８に残された記録媒体９には、画像が形成されないため、記録媒体９が無駄になってしまう。
【００６６】
一方、画像形成装置１では、距離Ｄ１が、Ｄ１＜Ｌ１−Ｌ２を満たすようにしたので、切断部２１は、記録媒体９の搬送動作が停止する前に記録媒体９を切断することができる。よって、後段の画像形成部３０は、記録媒体９の搬送動作をし続けることができるので、切断部２１から２次転写部４５までの搬送路８に残された記録媒体９に対して画像を形成し続けることができる。その結果、画像形成装置１では、ジャムエラーが生じることなく、記録媒体９を無駄にせず有効に利用することができる。
【００６７】
また、画像形成装置１では、媒体ホルダ１１に記録媒体９が無くなったときの負荷の変化（記録媒体９の張力の変化）に基づいて、記録媒体９を切断するようにしたので、例えば、媒体ホルダ１１における残りの記録媒体９の量を常にモニタし、いわゆるニアエンドを検出したときに記録媒体９を切断する場合に比べて、無駄になる記録媒体９の量を抑えることができる。
【００６８】
また、画像形成装置１では、記録媒体９の後端が、例えば、図４Ｂ，４Ｃに示したように、巻き芯１１０に簡易に固定されている場合でも、媒体ホルダ１１に記録媒体９が無くなったときの負荷の変化に基づいてガイドバー１２のロックが外れた場合には、記録媒体９を無駄にせず有効に利用することができる。
【００６９】
次に、画像形成装置１における動作について、フローチャートを用いて詳細に説明する。
【００７０】
図７は、画像形成装置１の一動作例を表すものである。画像形成装置１は、ロックセンサ１３および媒体センサ１６の検出結果に基づいて、記録媒体９を切断する。以下に、この動作について説明する。
【００７１】
画像形成装置１は、例えば通信部６１が印刷データＤＰを受信することにより、記録媒体９の搬送動作を開始する（ステップＳ１０１）。
【００７２】
次に、制御部６０は、ロックセンサ１３が、ガイドバー１２のロックが外れたことを検出したかどうかを確認する（ステップＳ１０２）。すなわち、例えば、記録媒体９の後端が巻き芯１１０に固定されている場合（図４（Ａ））には、媒体ホルダ１１に記録媒体９が無くなることにより、記録媒体９を搬送する際の負荷が変化し、ガイドバー１２のロックが外れる。また、例えば、記録媒体９の後端が巻き芯１１０に簡易に固定されている場合（図４Ｂ，４Ｃ）でも、この巻き芯１１０から外れにくい場合には、負荷が変化し、ガイドバー１２のロックが外れる場合もあり得る。この場合には、ロックセンサ１３は、ガイドバー１２のロックが外れたことを検出する。これにより、制御部６０は、媒体ホルダ１１に記録媒体９が無くなったと判断することができる。
【００７３】
このステップＳ１０２において、ロックが外れたことを検出していない場合（ステップＳ１０２において“Ｎ”）には、制御部６０は、媒体センサ１６が、記録媒体９が無いことを検出したかどうかを確認する（ステップＳ１０３）。すなわち、例えば、記録媒体９の後端が巻き芯１１０に固定されていない場合（図４Ｄ）には、媒体ホルダ１１に記録媒体９が無くなっても、記録媒体９を搬送する際の負荷が変化しないので、ガイドバー１２のロックは外れない。また、例えば、記録媒体９の後端が巻き芯１１０に簡易に固定されている場合（図４Ｂ，４Ｃ）でも、この巻き芯１１０から容易に外れ、負荷の変化が少ない場合には、ガイドバー１２のロックが外れない場合もあり得る。この場合には、媒体センサ１６が、記録媒体９が無いことを検出する。これにより、制御部６０は、媒体ホルダ１１に記録媒体９が無くなったと判断することができる。
【００７４】
ステップＳ１０３において、記録媒体９が無いことを検出していない場合（ステップＳ１０３において“Ｎ”）には、ステップＳ１０２に戻る。そして、ロックセンサ１３が、ガイドバー１２のロックが外れたことを検出し、あるいは、媒体センサ１６が、記録媒体９が無いことを検出するまで、このステップＳ１０２，Ｓ１０３を繰り返す。
【００７５】
ステップＳ１０２において、ロックセンサ１３が、ガイドバー１２のロックが外れたことを検出した場合（ステップＳ１０２において“Ｙ”）には、制御部６０は、記録媒体９がラベル紙であるかどうかを確認する（ステップＳ１０４）。例えば、印刷データＤＰが、記録媒体９の種類についての情報を含んでいる場合には、制御部６０は、この印刷データＤＰに基づいて、記録媒体９がラベル紙であるかどうかを確認することができる。また、例えば、ユーザが、表示操作部５１を操作することにより記録媒体９の種類についての情報を入力している場合には、制御部６０は、この入力情報に基づいて、記録媒体９がラベル紙であるかどうかを確認することができる。
【００７６】
ステップＳ１０４において、記録媒体９がラベル紙である場合（ステップＳ１０４において“Ｙ”）には、画像形成装置１は、画像形成部３０における記録媒体９の搬送動作を停止する（ステップＳ１０５）。具体的には、制御部６０のモータ制御部６５は、搬送モータ５５および排出モータ５６の動作を停止させることにより、画像形成部３０における記録媒体９の搬送動作を停止させる。すなわち、例えば、記録媒体９がラベル紙９Ａである場合には、画像形成装置１は、通常は、例えばラベル紙９Ａのギャップ部１０３で切断する。この場合において、仮に、画像形成装置１が、媒体ホルダ１１に記録媒体９が無くなった時に、ギャップ部１０３以外の部分で記録媒体９を切断すると、切断された記録媒体９の紙片が画像形成部３０に入り込み、画像形成部３０がダメージを受けるおそれがある。そこで、この例では、記録媒体９がラベル紙である場合には、このラベル紙を切断せずに、画像形成部３０における記録媒体９の搬送動作を停止させる。そして、このフローは終了する。
【００７７】
ステップＳ１０４において、記録媒体９がラベル紙でない場合（ステップＳ１０４において“Ｎ”）、または、ステップＳ１０３において、媒体センサ１６が記録媒体９が無いことを検出した場合（ステップＳ１０３において“Ｙ”）には、制御部６０の切断制御部６６は、切断モータ５９を動作させる（ステップＳ１０６）。そして、切断部２１は、切断モータ５９から伝達された動力に基づいて、カッタの刃を回転させることにより、記録媒体９を切断する（ステップＳ１０７）。そして、画像形成装置１は、媒体供給部１０における記録媒体９の搬送動作を停止する（ステップＳ１０８）。具体的には、制御部６０のモータ制御部６５は、媒体供給モータ５４の動作を停止させることにより、媒体供給部１０における記録媒体９の搬送動作を停止させる。そして、このフローは終了する。
【００７８】
このように、画像形成装置１では、ロックセンサ１３の検出結果に加え、媒体センサ１６の検出結果にも基づいて、記録媒体９の切断を行うようにしたので、例えば、記録媒体９の後端が巻き芯１１０に固定されていない場合（図４Ｄ）でも、記録媒体９を切断することができる。その結果、画像形成装置１では、記録媒体９を無駄にせず有効に利用することができる。
【００７９】
また、画像形成装置１では、記録媒体９を切断した場合には、媒体供給部１０における記録媒体９の搬送動作を停止するようにした。これにより、例えば、記録媒体９の後端が巻き芯１１０に固定されていない場合（図４Ｄ）において、切断部２１よりも上流側の記録媒体９が、後段の画像形成部３０に入り込むことがないので、画像形成部３０がダメージを受けるおそれを低減することができる。
【００８０】
また、画像形成装置１では、ガイドバー１２のロックが外れた場合でも、記録媒体９がラベル紙である場合には、記録媒体９を切断しないようにした。これにより、記録媒体９の紙片が画像形成部３０に入り込み、画像形成部３０がダメージを受けるおそれを低減することができる。
【００８１】
［効果］
以上のように本実施の形態では、媒体ホルダに記録媒体が無くなったときの負荷の変化（記録媒体の張力の変化）に基づいて、ガイドバーのロックが外れることにより、搬送路の経路長が短くなるようにしたので、これにより生じる余長を利用して、記録媒体を切断することができる。これにより、画像形成部では、記録媒体の搬送動作をし続けるため、記録媒体を無駄にせず有効に利用することができる。また、媒体供給部における記録媒体の搬送動作を停止するようにしたので、画像形成部がダメージを受けるおそれを低減することができる。
【００８２】
本実施の形態では、ロックセンサの検出結果に加え、媒体センサの検出結果にも基づいて、記録媒体の切断を行うようにしたので、例えば、記録媒体の後端が巻き芯に固定されていない場合でも、記録媒体を無駄にせず有効に利用することができる。
【００８３】
本実施の形態では、ガイドバーのロックが外れた場合でも、記録媒体がラベル紙である場合には、記録媒体を切断しないようにしたので、画像形成部がダメージを受けるおそれを低減することができる。
【００８４】
［変形例１］
上記実施の形態では、ガイドバー１２のロックが外れた場合でも、記録媒体９がラベル紙である場合には、記録媒体９を切断しないようにしたが、これに限定されるものではない。これに代えて、例えば、記録媒体９の紙片が画像形成部３０に入り込んでも、画像形成部３０がさほどダメージを受けない場合には、例えば、図８に示したように、記録媒体９の種類にかかわらず、記録媒体９を切断するようにしてもよい。この例では、ステップＳ１０２において、ロックセンサ１３が、ガイドバー１２のロックが外れたことを検出した場合（ステップＳ１０２において“Ｙ”）には、制御部６０の切断制御部６６は、切断モータ５９を動作させ（ステップＳ１０６）、切断部２１は、記録媒体９を切断する（ステップＳ１０７）。このとき、切断部２１は、例えば、記録媒体９がラベル紙９Ａである場合には、ギャップ部１０３以外の位置でも、記録媒体９を切断し得る。画像形成装置１は、媒体供給部１０における記録媒体９の搬送動作を停止する（ステップＳ１０８）。これにより、記録媒体９の種類にかかわらず、記録媒体９を無駄にせず有効に利用することができる。
【００８５】
＜２．第２の実施の形態＞
次に、第２の実施の形態に係る画像形成装置２について説明する。本実施の形態は、ロックセンサ１３がガイドバー１２のロックが外れたことを検出した時の動作が、上記第１の実施の形態と異なるものである。なお、上記第１の実施の形態に係る画像形成装置１と実質的に同一の構成部分には同一の符号を付し、適宜説明を省略する。
【００８６】
図５に示したように、画像形成装置２は、制御部７０を備えている。制御部７０は、切断制御部７６を有している。切断制御部７６は、記録媒体９がラベル紙である場合において、ガイドバー１２のロックが外れたときは、余長（経路長Ｌ１−経路長Ｌ２）の範囲内でギャップ部１０３を検出できる場合に、切断部２１がそのギャップ部１０３で記録媒体９を切断するように、切断モータ５９の動作を制御するものである。
【００８７】
図９は、画像形成装置２の一動作例を表すものである。
【００８８】
画像形成装置２は、画像形成装置１の場合と同様に、例えば通信部６１が印刷データＤＰを受信することにより、記録媒体９の搬送動作を開始する（ステップＳ１０１）。
【００８９】
次に、制御部７０は、画像形成装置１の場合と同様に、ロックセンサ１３が、ガイドバー１２のロックが外れたことを検出したかどうかを確認する（ステップＳ１０２）。そして、ロックが外れたことを検出していない場合（ステップＳ１０２において“Ｎ”）には、制御部７０は、媒体センサ１６が、記録媒体９が無いことを検出したかどうかを確認する（ステップＳ１０３）。記録媒体９が無いことを検出していない場合（ステップＳ１０３において“Ｎ”）には、ステップＳ１０２に戻る。そして、ロックセンサ１３が、ガイドバー１２のロックが外れたことを検出し、あるいは、媒体センサ１６が、記録媒体９が無いことを検出するまで、このステップＳ１０２，Ｓ１０３を繰り返す。
【００９０】
ステップＳ１０２において、ロックセンサ１３が、ガイドバー１２のロックが外れたことを検出した場合（ステップＳ１０２において“Ｙ”）には、制御部７０は、画像形成装置１の場合と同様に、記録媒体９がラベル紙であるかどうかを確認する（ステップＳ１０４）。
【００９１】
ステップＳ１０４において、記録媒体９がラベル紙である場合（ステップＳ１０４において“Ｙ”）には、制御部７０は、余長の範囲内に、カッタＩＮ透過センサ１８またはカッタＩＮ反射センサ１９がギャップ部１０３を検出したどうかを確認する（ステップＳ２０１）。具体的には、画像形成装置２は、ガイドバー１２のロックが外れた後に、余長（経路長Ｌ１−経路長Ｌ２）の分だけ記録媒体９を搬送することができるので、この余長に対応する長さの記録媒体９において、カッタＩＮ透過センサ１８またはカッタＩＮ反射センサ１９がギャップ部１０３を検出できる場合がある。よって、制御部７０は、この余長の範囲内において、カッタＩＮ透過センサ１８またはカッタＩＮ反射センサ１９がギャップ部１０３を検出したどうかを確認する。余長の範囲内に、カッタＩＮ透過センサ１８またはカッタＩＮ反射センサ１９がギャップ部１０３を検出していない場合（ステップＳ２０１において“Ｎ”）には、画像形成装置２は、画像形成装置１の場合と同様に、画像形成部３０における記録媒体９の搬送動作を停止する（ステップＳ１０５）。
【００９２】
ステップＳ１０４において、記録媒体９がラベル紙でない場合（ステップＳ１０４において“Ｎ”）、ステップＳ１０３において、媒体センサ１６が記録媒体９が無いことを検出した場合（ステップＳ１０３において“Ｙ”）、あるいは、ステップＳ２０１において、余長の範囲内に、カッタＩＮ透過センサ１８またはカッタＩＮ反射センサ１９がギャップ部１０３を検出した場合（ステップＳ２０１において“Ｙ”）には、制御部７０の切断制御部７６は、切断モータ５９を動作させ（ステップＳ１０６）、切断部２１は、記録媒体９を切断する（ステップＳ１０７）。特に、余長の範囲内に、カッタＩＮ透過センサ１８またはカッタＩＮ反射センサ１９がギャップ部１０３を検出した場合（ステップＳ２０１において“Ｙ”）には、切断部２１は、検出したそのギャップ部１０３において、記録媒体９を切断する。そして、画像形成装置２は、媒体供給部１０における記録媒体９の搬送動作を停止する（ステップＳ１０８）。そして、このフローは終了する。
【００９３】
このように、画像形成装置２では、記録媒体９がラベル紙である場合において、ガイドバー１２のロックが外れたときは、余長の範囲内でギャップ部１０３を検出できる場合に、切断部２１がそのギャップ部１０３において記録媒体９を切断するようにした。このように、画像形成装置２では、通常動作時において記録媒体９を切断する場合だけでなく、媒体ホルダ１１に記録媒体９が無くなった場合でも、ギャップ部１０３において記録媒体９を切断するので、記録媒体９を無駄にせず有効に利用することができる。
【００９４】
以上のように本実施の形態では、記録媒体がラベル紙である場合において、ガイドバーのロックが外れたときは、余長の範囲内でギャップ部を検出できる場合に、切断部がそのギャップ部において記録媒体を切断するようにしたので、記録媒体９を無駄にせず有効に利用することができる。その他の効果は、上記第１の実施の形態の場合と同様である。
【００９５】
＜３．第３の実施の形態＞
次に、第３の実施の形態に係る画像形成装置３について説明する。本実施の形態は、ロックセンサ１３および媒体センサ１６の検出結果に基づいて記録媒体９を切断する際、最後に記録媒体９を切断してから記録媒体９を搬送した距離に基づいて、記録媒体９を切断するかどうかを判断するものである。なお、上記第１の実施の形態に係る画像形成装置１と実質的に同一の構成部分には同一の符号を付し、適宜説明を省略する。
【００９６】
図１０は、画像形成装置３の一構成例を表すものである。画像形成装置３は、媒体供給部８０と、画像形成部９０とを備えている。
【００９７】
媒体供給部８０は、媒体供給ローラ８１と、搬送ローラ８２と、カッタＯＵＴセンサ８３とを有している。媒体供給ローラ８１は、媒体センサ１６およびカッタＩＮ透過センサ１８の間に配置されている。また、搬送ローラ８２およびカッタＯＵＴセンサ８３は、切断部２１の下流に、この順で配置されている。
【００９８】
媒体供給ローラ８１は、搬送路８を挟む１対のローラにより構成される部材であり、媒体供給モータ５４からクラッチ１５２（後述）を介して伝達された動力に基づいて、記録媒体９を搬送路８に沿って搬送するものである。
【００９９】
搬送ローラ８２は、搬送路８を挟む１対のローラにより構成されるものであり、媒体供給モータ５４からクラッチ１５３（後述）を介して伝達された動力に基づいて、記録媒体９を搬送路８に沿って搬送し、記録媒体９を画像形成部９０に供給するものである。
【０１００】
カッタＯＵＴセンサ８３は、記録媒体９が搬送ローラ８２を通過したかどうかを検出するものである。
【０１０１】
画像形成部９０は、媒体センサ９１と、搬送ローラ９２と、媒体センサ９３と、排出センサ９４とを有している。媒体センサ９１、搬送ローラ９２、および媒体センサ９３は、画像形成部９０における搬送ローラ４１の上流に、この順で配置されている。排出センサ９４は、定着部４７と排出ローラ４８との間に配置されている。
【０１０２】
媒体センサ９１は、記録媒体９の通過を検出するものである。
【０１０３】
搬送ローラ９２は、搬送路８を挟む１対のローラにより構成される部材であり、搬送モータ５５から伝達された動力に基づいて、媒体供給部８０から供給された記録媒体９を、搬送路８に沿って搬送するものである。
【０１０４】
媒体センサ９３は、記録媒体９の通過を検出するものである。
【０１０５】
排出センサ９４は、記録媒体９の画像形成装置３からの排出を検出するものである。
【０１０６】
図１１Ａ，１１Ｂは、画像形成装置３における制御機構の一例を表すものであり、図１１Ａは、画像形成部９０における制御機構の一例を示し、図１１Ｂは、媒体供給部８０における制御機構の一例を示す。画像形成装置３は、制御部１６０，１７０と、クラッチ１５２，１５３とを備えている。
【０１０７】
制御部１６０は、画像形成部９０の動作を制御するものである。また、制御部１６０は、媒体供給部８０の動作を制御する制御部１７０と通信を行う機能をも有している。制御部１６０は、モータ制御部１６５と、通信部１６８とを有している。モータ制御部１６５は、ヒートローラモータ５２、ドラムモータ１５１、搬送モータ５５、排出モータ５６、ベルトモータ５７、および離間モータ５８の動作を制御するものである。通信部１６８は、媒体供給部８０の動作を制御する制御部１７０と通信を行うものである。
【０１０８】
制御部１７０は、媒体供給部８０の動作を制御するものである。また、制御部１７０は、画像形成部９０の動作を制御する制御部１６０と通信を行う機能をも有している。制御部１７０は、通信部１７１と、モータ制御部１７５と、切断制御部１７６とを有している。通信部１７１は、画像形成部９０の動作を制御する制御部１６０と通信を行うものである。モータ制御部１７５は、媒体ホルダモータ５３および媒体供給モータ５４の動作を制御するものである。また、モータ制御部１７５は、クラッチ１５２，１５３の動作をも制御するようになっている。切断制御部１７６は、切断モータ５９の動作を制御するものである。具体的には、切断制御部１７６は、ロックセンサ１３および媒体センサ１６の検出結果に基づいて記録媒体９を切断する際、最後に記録媒体９を切断してから記録媒体９を搬送した距離に基づいて、記録媒体９を切断するかどうかを判断するものである。
【０１０９】
クラッチ１５２は、モータ制御部１７５からの指示に基づいて、媒体供給モータ５４から供給された動力を媒体供給ローラ８１に伝達しあるいは遮断する部材である。媒体供給モータ５４は、例えばステッピングモータを用いることができる。
【０１１０】
クラッチ１５３は、モータ制御部１７５からの指示に基づいて、媒体供給モータ５４から供給された動力を搬送ローラ８２に伝達しあるいは遮断する部材である。
【０１１１】
ここで、媒体供給ローラ８１は、本発明における「第１の搬送部材」の一具体例に対応する。搬送ローラ８２は、本発明における「第３の搬送部材」の一具体例に対応する。媒体供給モータ５４は、本発明における「駆動モータ」の一具体例に対応する。クラッチ１５３は、本発明における「伝達部」の一具体例に対応する。
【０１１２】
図１２は、画像形成装置３の一動作例を表すものである。
【０１１３】
画像形成装置３は、画像形成装置１の場合と同様に、例えば通信部６１が印刷データＤＰを受信することにより、記録媒体９の搬送動作を開始する（ステップＳ１０１）。
【０１１４】
次に、制御部１７０は、画像形成装置１の場合と同様に、ロックセンサ１３が、ガイドバー１２のロックが外れたことを検出したかどうかを確認する（ステップＳ１０２）。そして、ロックが外れたことを検出していない場合（ステップＳ１０２において“Ｎ”）には、制御部１７０は、媒体センサ１６が、記録媒体９が無いことを検出したかどうかを確認する（ステップＳ１０３）。記録媒体９が無いことを検出していない場合（ステップＳ１０３において“Ｎ”）には、ステップＳ１０２に戻る。そして、ロックセンサ１３が、ガイドバー１２のロックが外れたことを検出し、あるいは、媒体センサ１６が、記録媒体９が無いことを検出するまで、このステップＳ１０２，Ｓ１０３を繰り返す。
【０１１５】
ステップＳ１０２において、ロックセンサ１３が、ガイドバー１２のロックが外れたことを検出した場合（ステップＳ１０２において“Ｙ”）には、制御部１７０は、画像形成装置１の場合と同様に、記録媒体９がラベル紙であるかどうかを確認する（ステップＳ１０４）。記録媒体９がラベル紙である場合（ステップＳ１０４において“Ｙ”）には、制御部１７０のモータ制御部１７５は、クラッチ１５２，１５３をオフ状態（遮断状態）にする（ステップＳ３０１）。これにより、媒体供給部８０の媒体供給ローラ８１および搬送ローラ８２は、記録媒体９の搬送動作を停止する。そして、ステップＳ３０６に進む。
【０１１６】
ステップＳ１０４において、記録媒体９がラベル紙でない場合（ステップＳ１０４において“Ｎ”）、または、ステップＳ１０３において、媒体センサ１６が記録媒体９が無いことを検出した場合（ステップＳ１０３において“Ｙ”）には、制御部１７０は、最後に記録媒体９を切断してから、記録媒体９を所定距離以上搬送したかどうかを確認する（ステップＳ３０２）。具体的には、制御部１７０は、切断部２１が最後に記録媒体９を切断したときに、カッタＯＵＴセンサ８３が記録媒体９の先端を検出した後の媒体供給モータ５４の回転数に基づいて、記録媒体９を所定距離以上搬送したかどうかを確認する。この所定距離は、例えば、画像形成装置３が搬送路８に沿って記録媒体９を搬送する際に搬送可能な、記録媒体９の最小媒体長であり、例えば４インチ程度にすることができる。記録媒体９を所定距離以上搬送していない場合（ステップＳ３０２において“Ｎ”）には、ステップＳ３０１に進む。
【０１１７】
ステップＳ３０２において、記録媒体９を所定距離以上搬送した場合（ステップＳ３０２において“Ｙ”）には、切断制御部１７６は、切断モータ５９を動作させる（ステップＳ１０６）。そして、切断部２１は、切断モータ５９から伝達された動力に基づいて、カッタの刃を回転させることにより、記録媒体９を切断する（ステップＳ１０７）。これにより、切断された記録媒体９の媒体長は、搬送可能な最小媒体長以上の長さになる。
【０１１８】
そして、モータ制御部１７５は、クラッチ１５２をオフ状態（遮断状態）にする（ステップＳ３０３）。これにより、切断部２１の上流に配置された媒体供給ローラ８１は、記録媒体９の搬送を停止する。
【０１１９】
次に、制御部１７０は、ステップＳ１０７において切断された記録媒体９の後端が、切断部２１の下流に配置された搬送ローラ８２を通過したかどうかを確認する（ステップＳ３０４）。具体的には、制御部１７０は、カッタＯＵＴセンサ８３が、記録媒体９の後端を検出したかどうかを確認することにより、記録媒体９の後端が搬送ローラ８２を通過したかどうかを確認する。記録媒体９の後端がまだ搬送ローラ８２を通過していない場合（ステップＳ３０４において“Ｎ”）には、搬送ローラ８２を通過するまで、このステップＳ３０４を繰り返す。
【０１２０】
そして、ステップＳ３０４において、記録媒体９の後端がまだ搬送ローラ８２を通過した場合（ステップＳ３０４において“Ｙ”）には、モータ制御部１７５は、クラッチ１５３をオフ状態（遮断状態）にする（ステップＳ３０５）。これにより、切断部２１の下流に配置された搬送ローラ８２は、記録媒体９の搬送を停止する。
【０１２１】
そして、モータ制御部１７５は、媒体供給モータ５４の動作を停止させる（ステップＳ３０６）。
【０１２２】
以上で、このフローは終了する。
【０１２３】
このように、画像形成装置３では、最後に記録媒体９を切断してから、記録媒体９を所定距離以上搬送した場合に、記録媒体９を切断するようにしたので、例えば、切断された記録媒体９の媒体長を、記録媒体９を搬送可能な最小媒体長以上の長さにすることができる。その結果、画像形成装置３では、切断された記録媒体９が搬送されず、画像形成装置３にとり残されるおそれを低減することができる。
【０１２４】
また、画像形成装置３では、記録媒体９を切断した後に、クラッチ１５２をオフ状態（遮断状態）にし、記録媒体９の後端が搬送ローラ８２を通過した後に、クラッチ１５３をオフ状態（遮断状態）にした。すなわち、切断部２１が記録媒体９を切断し、クラッチ１５２がオフ状態（遮断状態）になったときに、クラッチ１５３はオン状態（伝達状態）を維持する。よって、画像形成装置３では、切断部２１の上流では記録媒体９の搬送を停止することができ、切断部２１の下流では記録媒体９を搬送し続けることができる。
【０１２５】
次に、いくつかの具体例を挙げて、画像形成装置３の動作を説明する。
【０１２６】
図１３は、媒体センサ１６が記録媒体９が無いことを検出した場合であり、記録媒体９を切断しない場合における、画像形成装置３の動作状態を表すものである。この例では、図４Ｄに示したように、記録媒体９の後端は巻き芯１１０に固定されていない。画像形成装置３では、図１２のステップＳ１０３において、媒体センサ１６が記録媒体９が無いことを検出し（ステップＳ１０３において“Ｙ”）、最後に記録媒体９を切断してから記録媒体９を所定距離以上搬送していない（ステップＳ３０２において“Ｎ”）ので、制御部１７０のモータ制御部１７５は、クラッチ１５２，１５３をオフ状態（遮断状態）にする（ステップＳ３０１）。これにより、媒体供給部８０の媒体供給ローラ８１および搬送ローラ８２は、記録媒体９（図１３における記録媒体９０１）の搬送を停止する。
【０１２７】
一方、切断部２１の下流では、画像形成部９０の搬送ローラ９２，４１が、切断された記録媒体９（記録媒体９０２）を搬送し続ける。この記録媒体９０２は、媒体センサ１６が記録媒体９０１の後端を検出する前に切断されたものであり、例えば印刷データＤＰにより指示された位置で切断されている。そして、画像形成装置３は、この印刷データＤＰに基づいて、記録媒体９０２に画像を形成し、この記録媒体９０２を排出する。つまり、記録媒体９０２には、印刷データＤＰに応じた所望の画像が形成される。
【０１２８】
そして、ユーザは、例えば画像形成装置３のカバーを開けることにより、媒体供給部８０に残った記録媒体９０１を容易に取り除くことができる。すなわち、クラッチ１５２，１５３はオフ状態（遮断状態）であるので、ユーザが記録媒体９０１を引き出すことにより、媒体供給ローラ８１および搬送ローラ８２が容易に回転する。よって、ユーザは、記録媒体９０１を、搬送方向Ｆ１、搬送方向Ｆ１とは反対の方向のどちらにも容易に引き出すことができるので、記録媒体９０１を容易に取り除くことができる。
【０１２９】
図１４は、ロックセンサ１３がガイドバー１２のロックが外れたことを検出した場合であり、記録媒体９を切断しない場合における、画像形成装置３の動作状態を表すものである。この例では、図４Ａに示したように、記録媒体９の後端が巻き芯１１０に固定されている。画像形成装置３では、図１２のステップＳ１０２において、ロックセンサ１３がガイドバー１２のロックが外れたことを検出し（ステップＳ１０２において“Ｙ”）、記録媒体９はラベル紙である（ステップＳ１０４において“Ｙ”）。もしくは、記録媒体９はラベル紙でなく（ステップＳ１０４において“Ｎ”）、最後に記録媒体９を切断してから記録媒体９を所定距離以上搬送していない（ステップＳ３０２において“Ｎ”）。これらの場合には、制御部１７０のモータ制御部１７５は、クラッチ１５２，１５３をオフ状態（遮断状態）にする（ステップＳ３０１）。これにより、媒体供給部８０の媒体供給ローラ８１および搬送ローラ８２は、記録媒体９（図１４における記録媒体９０３）の搬送を停止する。その際、媒体供給ローラ８１および搬送ローラ８２は、ガイドバー１２のロックが外れたタイミングから、記録媒体９０３が、第１の実施の形態において説明した余長（経路長Ｌ１−経路長Ｌ２）の分だけ搬送されるまでの間に、記録媒体９０３の搬送を停止する。これにより、画像形成装置３では、媒体供給部８０や各種ローラなどにダメージを与えるおそれを低減することができる。すなわち、記録媒体９０３の後端は巻き芯１１０に固定されているので、記録媒体９０３が余長分だけ搬送されるまでの間に記録媒体９０３の搬送が停止しなかった場合には、図６Ｂに示したように記録媒体９を搬送できない状態になり、媒体供給部８０に衝撃が生じ、媒体供給部８０や各種ローラなどにダメージを与えるおそれがある。一方、画像形成装置３では、記録媒体９０３が、余長（経路長Ｌ１−経路長Ｌ２）の分だけ搬送されるまでの間に、記録媒体９０３の搬送を停止するので、媒体供給部８０に衝撃が生じるおそれを低減することができ、媒体供給部８０や各種ローラなどにダメージを与えるおそれを低減することができる。
【０１３０】
一方、切断部２１の下流では、画像形成部９０の搬送ローラ９２，４１が、切断された記録媒体９（記録媒体９０４）を搬送し続ける。そして、画像形成装置３は、印刷データＤＰに基づいて、記録媒体９０４に画像を形成し、この記録媒体９０４を排出する。
【０１３１】
そして、ユーザは、例えば画像形成装置３のカバーを開けることにより、媒体供給部８０に残った記録媒体９０３を容易に取り除くことができる。
【０１３２】
図１５は、媒体センサ１６が記録媒体９が無いことを検出した場合であり、記録媒体９を切断する場合における、画像形成装置３の動作状態を表すものである。この例では、図４Ｄに示したように、記録媒体９の後端は巻き芯１１０に固定されていない。画像形成装置３では、図１２のステップＳ１０３において、媒体センサ１６が記録媒体９が無いことを検出し（ステップＳ１０３において“Ｙ”）、最後に記録媒体９を切断してから記録媒体９を所定距離以上搬送している（ステップＳ３０２において“Ｙ”）ので、切断部２１は記録媒体９を切断する（ステップＳ１０６，Ｓ１０７）。そして、制御部１７０のモータ制御部１７５は、クラッチ１５２をオフ状態（遮断状態）にする（ステップＳ３０３）。これにより、媒体供給部８０の媒体供給ローラ８１は、記録媒体９（図１５における記録媒体９０５）の搬送を停止する。
【０１３３】
一方、切断部２１の下流では、媒体供給部８０の搬送ローラ８２および画像形成部９０の搬送ローラ９２，４１が、切断された記録媒体９（記録媒体９０６）を搬送し続ける。この記録媒体９０６は、このステップＳ１０７において切断されたものであり、記録媒体９０６の媒体長は、印刷データＤＰにより指示された媒体長よりも短い。画像形成部９０の離間機構４６は、例えば、２次転写部４５により転写される画像がこの記録媒体９０６からはみ出すおそれがある場合に、離間モータ５８から伝達された動力に基づいて、２次転写バックアップローラ３５と２次転写ローラ４４とを、互いに離間させる。これにより、記録媒体９０６には、印刷データＤＰに応じた所望の画像が形成される場合もあり得るし、一部にのみ画像が形成される場合もあり得る。そして、画像形成装置３は、この記録媒体９０６を排出する。
【０１３４】
そして、ユーザは、例えば画像形成装置３のカバーを開けることにより、媒体供給部８０に残った記録媒体９０５を容易に取り除くことができる。
【０１３５】
図１６は、ロックセンサ１３がガイドバー１２のロックが外れたことを検出した場合であり、記録媒体９を切断する場合における、画像形成装置３の動作状態を表すものである。この例では、図４Ａに示したように、記録媒体９の後端が巻き芯１１０に固定されている。画像形成装置３では、図１２のステップＳ１０２において、ロックセンサ１３がガイドバー１２のロックが外れたことを検出し（ステップＳ１０２において“Ｙ”）、記録媒体９はラベル紙でなく（ステップＳ１０４において“Ｎ”）、最後に記録媒体９を切断してから記録媒体９を所定距離以上搬送している（ステップＳ３０２において“Ｙ”）ので、切断部２１は記録媒体９を切断する（ステップＳ１０６，Ｓ１０７）。そして、制御部１７０のモータ制御部１７５は、クラッチ１５２をオフ状態（遮断状態）にする（ステップＳ３０３）。これにより、媒体供給部８０の媒体供給ローラ８１は、記録媒体９（図１６における記録媒体９０７）の搬送を停止する。その際、媒体供給ローラ８１は、ガイドバー１２のロックが外れたタイミングから、記録媒体９０７が余長（経路長Ｌ１−経路長Ｌ２）の分だけ搬送されるまでの間に、記録媒体９０７の搬送を停止する。これにより、画像形成装置３では、媒体供給部８０や各種ローラなどにダメージを与えるおそれを低減することができる。
【０１３６】
一方、切断部２１の下流では、媒体供給部８０の搬送ローラ８２および画像形成部９０の搬送ローラ９２，４１が、切断された記録媒体９（記録媒体９０８）を搬送し続ける。この記録媒体９０８は、このステップＳ１０７において切断されたものであり、記録媒体９０８の媒体長は、印刷データＤＰにより指示された媒体長よりも短い。これにより、記録媒体９０８には、印刷データＤＰに応じた所望の画像が形成される場合もあり得るし、一部にのみ画像が形成される場合もあり得る。そして、画像形成装置３は、この記録媒体９０８を排出する。
【０１３７】
そして、ユーザは、例えば画像形成装置３のカバーを開けることにより、媒体供給部８０に残った記録媒体９０７を容易に取り除くことができる。
【０１３８】
このように、画像形成装置３では、クラッチ１５２，１５３をオフ状態（遮断状態）にしたので、ユーザが媒体供給部８０に残った記録媒体９を引き出すことにより、媒体供給ローラ８１および搬送ローラ８２が容易に回転する。よって、ユーザは、記録媒体９０１を、搬送方向Ｆ１、搬送方向Ｆ１とは反対の方向のどちらにも容易に引き出すことができるので、記録媒体９０１を容易に取り除くことができる。
【０１３９】
また、画像形成装置３では、記録媒体９の後端が巻き芯１１０に固定されている場合（図１４，１６）において、搬送ローラ８２がガイドバー１２のロックが外れたタイミングから、記録媒体９が余長（経路長Ｌ１−経路長Ｌ２）の分だけ搬送されるまでの間に、媒体供給ローラ８１が記録媒体９の搬送を停止する。これにより、画像形成装置３では、媒体供給部８０や各種ローラなどにダメージを与えるおそれを低減することができる。
【０１４０】
また、画像形成装置３では、記録媒体９を切断した場合（図１５，１６）において、切断された記録媒体９（記録媒体９０６，９０８）には、印刷データＤＰに応じた所望の画像が形成される場合もあり得るし、一部にのみ画像が形成される場合もあり得る。よって、記録媒体９を有効に利用することができる。
【０１４１】
以上のように本実施の形態では、最後に記録媒体を切断してから、記録媒体を所定距離以上搬送した場合に、記録媒体を切断するようにしたので、切断された記録媒体が画像形成装置にとり残されるおそれを低減することができる。
【０１４２】
本実施の形態では、記録媒体を切断した後に、クラッチ１５２をオフ状態（遮断状態）にし、記録媒体の後端が搬送ローラ８２を通過した後に、クラッチ１５３をオフ状態（遮断状態）にしたので、切断部の上流では記録媒体の搬送を停止することができ、切断部の下流では記録媒体を搬送し続けることができる。
【０１４３】
本実施の形態では、クラッチをオフ状態（遮断状態）にしたので、ユーザが媒体供給部に残った記録媒体を引き出すことにより、媒体供給ローラ８１および搬送ローラ８２が容易に回転するので、ユーザは記録媒体を容易に取り除くことができる。
【０１４４】
本実施の形態では、記録媒体の後端が巻き芯に固定されている場合において、搬送ローラ８２がガイドバーのロックが外れたタイミングから、記録媒体が余長の分だけ搬送されるまでの間に、記録媒体の搬送を停止するようにしたので、媒体供給部や各種ローラなどにダメージを与えるおそれを低減することができる。
【０１４５】
［変形例３−１］
上記実施の形態では、図１２に示したように、ステップＳ３０１において、クラッチ１５２，１５３をオフ状態にしたが、これに限定されるものではなく、これに代えて、例えば、クラッチ１５２，１５３をオフ状態にしなくてもよい。また、ステップＳ３０５において、クラッチ１５３をオフ状態にしたが、これに限定されるものではなく、これに代えて、例えば、クラッチ１５３をオフ状態にしなくてもよい。
【０１４６】
［変形例３−２］
上記実施の形態では、クラッチ１５２，１５３を設けたが、これに限定されるものではない。以下に、本変形例に係る画像形成装置３Ｂについて詳細に説明する。画像形成装置３Ｂは、媒体供給部８０Ｂと、画像形成部９０とを備えている。
【０１４７】
図１７は、媒体供給部８０Ｂにおける制御機構の一例を表すものである。画像形成装置３Ｂは、制御部１７０Ｂと、媒体供給ローラ８１Ｂと、搬送ローラ８２Ｂとを備えている。
【０１４８】
制御部１７０Ｂは、媒体供給部８０Ｂの動作を制御するものである。また、制御部１７０Ｂは、画像形成部９０の動作を制御する制御部１６０と通信を行う機能をも有している。制御部１７０Ｂは、モータ制御部１７５Ｂを有している。モータ制御部１７５Ｂは、媒体ホルダモータ５３および媒体供給モータ５４の動作を制御するものである。
【０１４９】
媒体供給ローラ８１Ｂは、搬送路８を挟む１対のローラにより構成される部材であり、媒体供給モータ５４から伝達された動力に基づいて、記録媒体９を搬送路８に沿って搬送するものである。すなわち、上記第３の実施の形態に係る画像形成装置３では、媒体供給ローラ８１には、媒体供給モータ５４からクラッチ１５２を介して動力が伝達されるようにしたが、本変形例に係る画像形成装置３Ｂでは、媒体供給ローラ８１Ｂには、媒体供給モータ５４からクラッチを介さずに動力が伝達されるようになっている。
【０１５０】
搬送ローラ８２Ｂは、搬送路８を挟む１対のローラにより構成される、いわゆるワンウェイローラであり、媒体供給モータ５４から伝達された動力に基づいて、記録媒体９を搬送路８に沿って搬送し、記録媒体９を画像形成部９０に供給するものである。すなわち、上記第３の実施の形態に係る画像形成装置３では、搬送ローラ８２には、媒体供給モータ５４からクラッチ１５３を介して動力が伝達されるようにしたが、本変形例に係る画像形成装置３Ｂでは、搬送ローラ８２Ｂには、媒体供給モータ５４からクラッチを介さずに動力が伝達されるようになっている。
【０１５１】
図１８は、画像形成装置３Ｂの一動作例を表すものである。
【０１５２】
画像形成装置３Ｂは、画像形成装置３の場合と同様に、例えば通信部６１が印刷データＤＰを受信することにより、記録媒体９の搬送動作を開始する（ステップＳ１０１）。
【０１５３】
次に、制御部１７０Ｂは、画像形成装置３の場合と同様に、ロックセンサ１３が、ガイドバー１２のロックが外れたことを検出したかどうかを確認する（ステップＳ１０２）。そして、ロックが外れたことを検出していない場合（ステップＳ１０２において“Ｎ”）には、制御部１７０Ｂは、媒体センサ１６が、記録媒体９が無いことを検出したかどうかを確認する（ステップＳ１０３）。記録媒体９が無いことを検出していない場合（ステップＳ１０３において“Ｎ”）には、ステップＳ１０２に戻る。そして、ロックセンサ１３が、ガイドバー１２のロックが外れたことを検出し、あるいは、媒体センサ１６が、記録媒体９が無いことを検出するまで、このステップＳ１０２，Ｓ１０３を繰り返す。
【０１５４】
ステップＳ１０２において、ロックセンサ１３が、ガイドバー１２のロックが外れたことを検出した場合（ステップＳ１０２において“Ｙ”）には、制御部１７０Ｂは、画像形成装置３の場合と同様に、記録媒体９がラベル紙であるかどうかを確認する（ステップＳ１０４）。記録媒体９がラベル紙である場合（ステップＳ１０４において“Ｙ”）には、ステップＳ３０６に進む。
【０１５５】
ステップＳ１０４において、記録媒体９がラベル紙でない場合（ステップＳ１０４において“Ｎ”）、または、ステップＳ１０３において、媒体センサ１６が記録媒体９が無いことを検出した場合（ステップＳ１０３において“Ｙ”）には、制御部１７０Ｂは、最後に記録媒体９を切断してから、記録媒体９を所定距離以上搬送したかどうかを確認する（ステップＳ３０２）。記録媒体９を所定距離以上搬送していない場合（ステップＳ３０２において“Ｎ”）には、ステップＳ３０６に進む。
【０１５６】
ステップＳ３０２において、記録媒体９を所定距離以上搬送した場合（ステップＳ３０２において“Ｙ”）には、切断制御部１７６は、切断モータ５９を動作させる（ステップＳ１０６）。そして、切断部２１は、切断モータ５９から伝達された動力に基づいて、カッタの刃を回転させることにより、記録媒体９を切断する（ステップＳ１０７）。これにより、切断された記録媒体９の媒体長は、搬送可能な最小媒体長以上の長さになる。
【０１５７】
そして、モータ制御部１７５Ｂは、媒体供給モータ５４の動作を停止させる（ステップＳ３０６）。
【０１５８】
この場合でも、媒体供給モータ５４は停止するので、ユーザが媒体供給部８０Ｂに残った記録媒体９を引き出すことにより、媒体供給ローラ８１Ｂおよび搬送ローラ８２Ｂが回転するので、ユーザは記録媒体９を取り除くことができる。特に、搬送ローラ８２Ｂをワンウェイローラを用いて構成したので、ユーザは、媒体供給部８０Ｂに残った記録媒体９を、搬送方向Ｆ１とは反対の方向に容易に引き出すことができるので、記録媒体９を容易に取り除くことができる。
【０１５９】
また、画像形成装置３Ｂでは、画像形成装置３とは異なり、クラッチ１５２，１５３を省くことができるので、部品数を削減することができる。
【０１６０】
以上、いくつかの実施の形態および変形例を挙げて本技術を説明したが、本技術はこれらの実施の形態等には限定されず、種々の変形が可能である。
【０１６１】
例えば、上記の実施の形態等では、電子写真方式により、記録媒体９に画像を形成したが、これに限定されるものではなく、どのような方式で画像を形成してもよい。また、上記の実施の形態等では、記録媒体９にカラー画像を形成したが、これに限定されるものではなく、モノクロ画像を形成してもよい。
【０１６２】
例えば、上記の実施の形態等では、現像部３１が形成したトナー像を、転写ベルト３２に一旦転写し、転写ベルト３２に転写されたトナー像を記録媒体９に転写したが、これに限定されるものではなく、これに代えて、例えば、現像部が形成したトナー像を、記録媒体９に直接転写してもよい。
【符号の説明】
【０１６３】
１，２，３，３Ｂ…画像形成装置、８…搬送路、８Ａ，８Ｂ…経路、９…記録媒体、９Ａ…ラベル紙、９Ｂ…連続紙、１０，８０…媒体供給部、１１…媒体ホルダ、１２…ガイドバー、１２Ａ…アーム、１２Ｂ…軸、１３…ロックセンサ、１４…媒体ガイド、１５…媒体セットセンサ、１６…媒体センサ、１７，８１，８１Ｂ…媒体供給ローラ、１８…カッタＩＮ透過センサ、１８Ａ…発光部、１８Ｂ…受光部、１９…カッタＩＮ反射センサ、２１…切断部、２２，８２，８２Ｂ…搬送ローラ、３０，９０…画像形成部、３１，３１Ｙ，３１Ｍ，３１Ｃ，３１Ｋ…現像部、３２…転写ベルト、３３…ベルトローラ、３４…ローラ、３５…２次転写バックアップローラ、３６…ローラ、４１…搬送ローラ、４２…ＷＲ透過センサ、４３…ＷＲ反射センサ、４４…２次転写ローラ、４５…２次転写部、４６…離間機構、４７…定着部、４７Ａ…ヒートローラ、４７Ｂ…定着ベルト、４８…排出ローラ、５１…表示操作部、５２…ヒートローラモータ、５３…媒体ホルダモータ、５４…媒体供給モータ、５５…搬送モータ、５６…排出モータ、５７…ベルトモータ、５８…離間モータ、５９…切断モータ、６０，７０，１６０，１７０，１７０Ｂ…制御部、６１…通信部、６２…表示操作制御部、６３…現像制御部、６４…ヒータ制御部、６５，１６５，１７５，１７５Ｂ…モータ制御部、６６，７６，１７６…切断制御部、６７…高圧制御部、６９…高圧電源、８３…カッタＯＵＴセンサ、９１…媒体センサ、９２…搬送ローラ、９３…媒体センサ、９４…排出センサ、１０１…ラベル、１０２…台紙、１０３…ギャップ部、１０４…ブラックマーク、１１０…巻き芯、１１３…テープ、１５１…ドラムモータ、１５２，１５３…クラッチ、１６８…通信部、１７１…通信部、ＤＰ…印刷データ、Ｌ１，Ｌ２…経路長。
【図１】
2019051698.tif 000003
【図２】
2019051698.tif 000004
【図３】
2019051698.tif 000005
【図４Ａ】
2019051698.tif 000006
【図４Ｂ】
2019051698.tif 000007
【図４Ｃ】
2019051698.tif 000008
【図４Ｄ】
2019051698.tif 000009
【図５】
2019051698.tif 000010
【図６Ａ】
2019051698.tif 000011
【図６Ｂ】
2019051698.tif 000012
【図６Ｃ】
2019051698.tif 000013
【図７】
2019051698.tif 000014
【図８】
2019051698.tif 000015
【図９】
2019051698.tif 000016
【図１０】
2019051698.tif 000017
【図１１Ａ】
2019051698.tif 000018
【図１１Ｂ】
2019051698.tif 000019
【図１２】
2019051698.tif 000020
【図１３】
2019051698.tif 000021
【図１４】
2019051698.tif 000022
【図１５】
2019051698.tif 000023
【図１６】
2019051698.tif 000024
【図１７】
2019051698.tif 000025
【図１８】
2019051698.tif 000026